(57)【要約】【課題】焦点距離等の撮影レンズの設定状態によって周辺光量比が変動する撮像システムにおいて、撮影レンズの設定状態に応じた各画素ごとの増幅度により映像信号を増幅処理することによって、撮影レンズの設定状態にかかわらず、周辺光量の落ち込みを適切に補正することができる周辺光量補正機能付き撮像システムを提供する。【解決手段】レンズ装置１２のレンズマイコン２０は、現在の焦点距離、絞り開閉度、フォーカス位置に対応する周辺光量比データを記憶素子３０のレンズ特性データから読み取り、その周辺光量比データをカメラ本体１０のカメラマイコン３６に送信する。カメラマイコン３６は、周辺光量比データに基づいて、各画素点ごとの映像信号の増幅度を設定し、その増幅度による映像信号の増幅処理を行う。【選択図】      図１
2005217504.tif 000002
【特許請求の範囲】
【請求項１】
焦点距離が変更可能な撮影レンズが使用される撮像システムであって、前記撮影レンズにより結像された像を撮像手段により光電変換して被写体の画像を画像信号により取得する撮像システムにおいて、
前記撮影レンズの特性に関するレンズ特性データを記憶した記憶手段と、
現在の焦点距離を取得する焦点距離取得手段と、
前記撮像手段の撮像面の各画素ごとに設定される増幅度に従って前記画像信号を増幅処理する増幅処理手段と、
前記増幅処理手段における各画素ごとの増幅度を、前記記憶手段に記憶されたレンズ特性データと、少なくとも前記焦点距離取得手段により取得された焦点距離の情報を含む前記撮影レンズの現在の設定状態とに基づいて設定し、前記撮影レンズの現在の設定状態における前記撮影レンズの周辺光量の落ち込みを前記増幅処理手段による画像信号の増幅処理により補正する周辺光量補正手段と、
を備えたことを特徴とする周辺光量補正機能付き撮像システム。
【請求項２】
前記撮影レンズはフォーカス位置及び絞り開閉度の変更が可能であると共に、現在のフォーカス位置を取得するフォーカス位置取得手段と、現在の絞り開閉度を取得する絞り開閉度取得手段とを備え、
前記周辺光量補正手段は、前記増幅処理手段における各画素ごとの増幅度を設定する際に考慮する前記撮影レンズの現在の設定状態として、前記フォーカス位置取得手段により取得されたフォーカス位置の情報と、前記絞り開閉度取得手段により取得された絞り開閉度の情報とを含むことを特徴とする請求項１の周辺光量補正機能付き撮像システム。
【請求項３】
前記記憶手段に記憶されるレンズ特性データは、前記撮影レンズの設定状態に応じた周辺光量比を示したデータであることを特徴とする請求項１の周辺光量補正機能付き撮像システム。
【請求項４】
前記撮像手段を備えたレンズ交換可能なカメラ装置と、該カメラ装置に着脱可能に装着され、前記撮影レンズを備えたレンズ装置から構成されることを特徴とする請求項１の周辺光量補正機能付き撮像システム。
【請求項５】
前記記憶手段は前記レンズ装置が有することを特徴とする請求項４の周辺光量補正機能付き撮像システム。
【請求項６】
前記記憶手段は、前記カメラ装置が有すると共に、前記カメラ装置に装着可能なレンズ装置の複数の種類に対応したレンズ特性データを記憶し、前記周辺光量補正手段は、前記カメラ装置に装着されたレンズ装置の種類に対応したレンズ特性データを使用することを特徴とする請求項４の周辺光量補正機能付き撮像システム。
【発明の詳細な説明】
【技術分野】
【０００１】
本発明は周辺光量補正機能付き撮像システムに係り、特に焦点距離等の撮影レンズの設定状態によって周辺光量比が変動する場合に適用される周辺光量補正機能付き撮像システムに関する。
【背景技術】
【０００２】
撮影レンズにより結像される像の画面中心の光量に対する周辺部の光量の比は一般に周辺光量比と呼ばれており、周辺光量比が１より小さくなるほど画面中心よりも周辺部、特に４隅で画像が暗くなる。放送用テレビカメラ等で用いられる長焦点のズームレンズの場合には、焦点距離が広角側のときに周辺光量比が略１であっても望遠側になると周辺光量比が低下するという場合も多い。周辺光量比が焦点距離によって変動する場合、単に周辺部の画像が暗くなるというだけでなく、例えば比較的白っぽい被写体を撮影した状態でズーミングすると、目の残像として４隅が暗く画面上に白い円盤状の像が発生するという悪影響ももたらす。
【０００３】
特許文献１には、撮像素子から取得した映像信号を各画素ごとに設定したゲインにより増幅することにより撮影レンズによる周辺光量の落ち込みを緩和するようにしたビデオカメラが提案されている。
【特許文献１】特開２０００−６９３５９号公報
【発明の開示】
【発明が解決しようとする課題】
【０００４】
しかしながら、上述のように可変焦点距離のズームレンズの場合、焦点距離で周辺光量比が変動する場合があり、また、絞り開閉度やフォーカス位置等によっても周辺光量比が変動する場合がある。特許文献１では、焦点距離等の撮影レンズの設定状態に関係なく各画素の増幅度を設定しているため、撮影レンズの設定状態で周辺光量比が変動する場合には対応できない。
【０００５】
本発明はこのような事情に鑑みてなされたもので、撮影レンズの設定状態、特に焦点距離で周辺光量比が変動する撮影レンズを用いた場合に、撮影レンズの設定状態にかかわらず周辺光量の落ち込みを軽減することができる周辺光量補正機能付き撮像システムを提供することを目的とする。
【課題を解決するための手段】
【０００６】
前記目的を達成するために、請求項１に記載の周辺光量補正機能付き撮像システムは、焦点距離が変更可能な撮影レンズが使用される撮像システムであって、前記撮影レンズにより結像された像を撮像手段により光電変換して被写体の画像を画像信号により取得する撮像システムにおいて、前記撮影レンズの特性に関するレンズ特性データを記憶した記憶手段と、現在の焦点距離を取得する焦点距離取得手段と、前記撮像手段の撮像面の各画素ごとに設定される増幅度に従って前記画像信号を増幅処理する増幅処理手段と、前記増幅処理手段における各画素ごとの増幅度を、前記記憶手段に記憶されたレンズ特性データと、少なくとも前記焦点距離取得手段により取得された焦点距離の情報を含む前記撮影レンズの現在の設定状態とに基づいて設定し、前記撮影レンズの現在の設定状態における前記撮影レンズの周辺光量の落ち込みを前記増幅処理手段による画像信号の増幅処理により補正する周辺光量補正手段と、を備えたことを特徴としている。
【０００７】
本発明によれば、撮影レンズの設定状態を考慮した各画素ごとの増幅度により画像信号を増幅処理するため、撮影レンズの設定状態にかかわらず撮影レンズの周辺光量の落ち込みを適切に軽減（補正）することができる。
【０００８】
また、請求項２に記載の周辺光量補正機能付き撮像システムは、請求項１に記載の発明において、前記撮影レンズはフォーカス位置及び絞り開閉度の変更が可能であると共に、現在のフォーカス位置を取得するフォーカス位置取得手段と、現在の絞り開閉度を取得する絞り開閉度取得手段とを備え、前記周辺光量補正手段は、前記増幅処理手段における各画素ごとの増幅度を設定する際に考慮する前記撮影レンズの現在の設定状態として、前記フォーカス位置取得手段により取得されたフォーカス位置の情報と、前記絞り開閉度取得手段により取得された絞り開閉度の情報とを含むことを特徴としている。即ち、周辺光量比が焦点距離だけでなく、フォーカス位置や絞り開閉度の設定状態によって変動する場合にも適切に周辺光量の落ち込みを補正することができる。
【０００９】
また、請求項３に記載の周辺光量補正機能付き撮像システムは、請求項１に記載の発明において、前記記憶手段に記憶されるレンズ特性データは、前記撮影レンズの設定状態に応じた周辺光量比を示したデータであることを特徴としている。これによれば、撮影レンズの現在の設定状態における周辺光量比のデータが得られ、そのときの周辺光量の落ち込みを適切に補正するための各画素の増幅度をその周辺光量比のデータから算出することができる。
【００１０】
また、請求項４に記載の周辺光量補正機能付き撮像システムは、請求項１に記載の発明において、前記撮像手段を備えたレンズ交換可能なカメラ装置と、該カメラ装置に着脱可能に装着され、前記撮影レンズを備えたレンズ装置から撮像システムが構成されることを特徴としている。例えば放送用テレビカメラのような撮像システムがこれに相当する。
【００１１】
また、請求項５に記載の周辺光量補正機能付き撮像システムは、請求項４に記載の発明において、前記記憶手段は前記レンズ装置が有することを特徴としている。この場合、レンズ装置に備えられた撮影レンズの特性を示すレンズ特性データのみを記憶手段に記憶しておけばよい。
【００１２】
また、請求項６に記載の周辺光量補正機能付き撮像システムは、請求項４に記載の発明において、前記記憶手段は、前記カメラ装置が有すると共に、前記カメラ装置に装着可能なレンズ装置の複数の種類に対応したレンズ特性データを記憶し、前記周辺光量補正手段は、前記カメラ装置に装着されたレンズ装置の種類に対応したレンズ特性データを使用することを特徴としている。前記記憶手段は、カメラ装置に備えることも可能であり、その場合、記憶手段には、各種レンズ装置に対応したレンズ特性データを記憶しておき、実際に装着されたレンズ装置の種類に対応したデータを使用すればよいというものである。ただし、必ずしも複数種のレンズ装置に対応したレンズ特性データを記憶手段に記憶しておかなくても、記憶手段のデータを書換え可能にし、カメラ本体に装着するレンズ装置に対応したデータを外部機器から記憶手段に書き込めるようにするという方法も考えられる。
【発明の効果】
【００１３】
本発明に係る周辺光量補正機能付き撮像システムによれば、撮影レンズの設定状態にかかわらず周辺光量の落ち込みを適切に補正（軽減）することができる。
【発明を実施するための最良の形態】
【００１４】
以下、添付図面に従って本発明に係る周辺光量補正機能付き撮像システムの好ましい実施の形態について詳説する。
【００１５】
図１は、本発明が適用される撮像システムの全体構成を示したブロック図である。同図に示す撮像システムは、例えば放送用テレビカメラでの撮影に用いられる撮像システムであり、同図にはレンズ交換可能なカメラ本体１０、例えば長焦点で可変焦点距離の撮影レンズ（長焦点ズームレンズ）を備えたレンズ装置１２、カメラ本体１０に接続されるカメラコントロールユニット（ＣＣＵ）１４、レンズ装置１２に接続されるコントローラ（フォーカスデマンド１６、ズームデマンド１８）が示されている。
【００１６】
レンズ装置１２は、撮影レンズ（光学系）と制御系とから構成されており、撮影レンズは、フォーカス調整のために光軸方向に移動可能なフォーカスレンズ群ＦＬ、ズーム倍率（焦点距離）を変更するために光軸方向に移動可能なズームレンズ群ＺＬ、光量調整のために開閉動作する絞りＩ、被写体光を最終的に撮像面に結像するマスターレンズ群ＭＬ等により構成されている。尚、ズームレンズ群ＺＬは、変倍のための変倍系レンズ群と変倍系レンズ群が動くことによるピントの変動を補正するための補正系レンズ群とが所定の位置関係で移動するようになっている。
【００１７】
レンズ装置１２の制御系は、レンズ装置１２全体を統括制御するレンズマイコン２０、上記フォーカスレンズ群ＦＬ、ズームレンズ群ＺＬ、絞りＩをそれぞれ駆動するための駆動部２２、２４、２６、所要のデータが格納された記憶素子（例えばＥＥＰＲＯＭ）３０等から構成されている。
【００１８】
各駆動部２２、２４、２６は、それぞれ上記フォーカスレンズ群ＦＬ、ズームレンズ群ＺＬ、絞りＩに連結されたモータを備えており、レンズマイコン２０から与えられる駆動信号に従ってそれらのモータが駆動されることにより、フォーカスレンズ群ＦＬ、ズームレンズ群ＺＬ、絞りＩが各駆動部２２、２４、２６によってモータ駆動される。
【００１９】
また、各駆動部２２、２４、２６は、それぞれフォーカスレンズ群ＦＬ、ズームレンズ群ＺＬ、絞りＩの位置を検出する位置センサを備えており、それらの位置センサによって検出された各位置を示す情報がレンズマイコン２０によって適宜読み取られるようになっている。
【００２０】
レンズマイコン２０には、レンズ装置１２に接続されたフォーカスデマンド１６やズームデマンド１８からそれらのデマンド１６、１８でのユーザ操作に応じたコントロール信号が与えられるようになっており、レンズマイコン２０は、各駆動部２２、２４に出力する駆動信号によりそれらの駆動部２２、２４のモータを制御し、フォーカスレンズ群ＦＬやズームレンズ群ＺＬの位置又は速度を各デマンド１６、１８から与えられたコントロール信号により指示された状態に設定する。
【００２１】
また、レンズマイコン２０とカメラ本体１０のカメラマイコン３６との間ではシリアル通信により各種信号のやり取りが行えるようになっており、カメラマイコン３６からレンズマイコン２０に絞りＩの位置（絞り開閉度）を指示するアイリスコントロール信号が与えられると、レンズマイコン２０は駆動部２６に出力する駆動信号により駆動部２６のモータを制御し、絞りＩをアイリスコントロール信号により指定された絞り開閉度に設定する。
【００２２】
カメラ本体１０には、カメラ本体１０を統括制御するカメラマイコン３６や、撮影レンズにより結像された被写体像を光電変換して電気信号（画像信号）として出力するＣＣＤ３２等が搭載されている。ＣＣＤ３２から出力された画像信号は、Ａ／Ｄ変換器３４によってデジタル信号に変換された後、カメラマイコン３６により読み取られ、カメラマイコン３６で所定の信号処理が施される。尚、同図では省略するがカメラマイコン３６で処理された画像信号は所定形式（例えばＮＴＳＣ形式）の映像信号としてカメラ本体１０の映像信号出力端子から外部機器に出力される。
【００２３】
また、カメラマイコン３６には、カメラ本体１０に接続されたＣＣＵ（カメラコントロールユニット）１４からカメラ本体１０での各種機能に関するコントロール信号等が与えられるようになっている。例えば、リモートアイリスの場合に、ＣＣＵ１４でのユーザ操作に基づいて絞りＩの開閉度（絞り開閉度）を指示するアイリスコントロール信号がＣＣＵ１４からカメラマイコン３６に与えられると、カメラマイコン３６は、ＣＣＵ１４から与えられたアイリスコントロール信号をレンズマイコン２０に送信する。
【００２４】
次に、上記撮像システムにおける周辺光量補正機能について説明する。図２及び図３は、上記レンズ装置１２の撮影レンズにより結像され、カメラ本体１０のＣＣＤ３２の撮像面で撮像される像の周辺光量比を撮影レンズの設定状態を変えて示した図である。図２（Ａ）〜（Ｃ）は絞りＩを開放状態にした場合であって、図２（Ａ）、（Ｃ）は、焦点距離が広角端の場合と望遠端の場合を示し、図２（Ｂ）は、焦点距離が広角端と望遠端の中間に位置している場合を示している。一方、図３（Ａ）〜（Ｃ）は絞りＩをＦ４．０の状態に絞った場合であって、図３（Ａ）、（Ｃ）は、焦点距離が広角端の場合と望遠端の場合を示し、図３（Ｂ）は、焦点距離が広角端と望遠端の中間に位置している場合を示している。また、これらの図において、横軸は、撮影レンズにより像が結像されるＣＣＤ３２の撮像面における各画素点の中心（撮影レンズの光軸上の点であり、以下、画面中心という）からの距離を示し、縦軸は、画面中心の画素点に結像される像の光量（撮像面の中心に入射する光量）に対する各画素点での像の光量の比（周辺光量比）を示している。これらの図のグラフから分かるように、周辺光量比は、どの条件下でも画面中心からの距離が大きくなるほど低下し、焦点距離が望遠端に近くなる程、周辺光量比の低下の程度が大きくなる傾向がある。また、周辺光量比は、一部の画素点を除いては同一画素点であっても焦点距離、絞り開閉度（Ｆナンバー）によって変動する。これらのグラフからは読み取ることができないが、フォーカスレンズ群ＦＬの位置（フォーカス位置）によっても周辺光量比が変動する。
【００２５】
レンズ装置１２の記憶素子３０には、例えば、図２、図３に示したような撮影レンズの所望の設定状態における各画素点での周辺光量比を示す周辺光量比データがレンズ特性データとして格納されている。即ち、焦点距離、絞り開閉度、フォーカス位置の各値に対する各画素点での周辺光量比の値を示すデータが事前に作成されて記憶素子３０に格納されている。従って、記憶素子３０の周辺光量比データを参照することによって、撮影レンズが任意の焦点距離、絞り開閉度、フォーカス位置に設定されているときの各画素点での周辺光量比の値が得られるようになっている。ただし、記憶素子３０にレンズ特性データとして格納する周辺光量に関する情報は、上述のような周辺光量比データではなく、撮影レンズの各設定状態における各画素点での像の光量（明るさ）を示す値（例えばＦ値）であってもよいし、また、画面中心の光量に対する各画素点の光量の比ではなく、予め決められた所定の画素点の光量、又は、予め決められた基準の光量に対する各画素点の光量の比を示す値のように、撮影レンズの所望の設定状態における各画素点間での光量の比が読み取れる情報であればよい。
【００２６】
レンズ装置１２のレンズマイコン２０は、各駆動部２２、２４、２６の各位置センサにより現在のフォーカス位置、ズーム位置（焦点距離）、絞り位置（絞り開閉度）を取得し、それらの設定状態に対応する周辺光量比データ（各画素点での周辺光量比の値）を記憶素子３０から読み取る。そして、その周辺光量比データを周辺光量に関する情報としてカメラマイコン３６にシリアル通信により送信する。尚、周辺光量に関する情報等のレンズマイコン２０からカメラマイコン３６への送信は、カメラマイコン３６からの送信要求があると行われる。また、現在のフォーカス位置、焦点距離、絞り開閉度は、位置センサから取得した値を用いるのではなく、フォーカスデマンド１６、ズームデマンド１８、カメラマイコン３６から与えられる指示値を用いてもよい。また、レンズマイコン２０とカメラマイコン３６との間での信号のやり取りは、シリアル通信に限らずパラレル通信等であってもよい。
【００２７】
カメラマイコン３６は、レンズマイコン２０から送信された周辺光量に関する情報に基づいて各画素点ごとの映像信号の増幅度を求める。各画素点ごとの映像信号の増幅度は、周辺光量の落ち込みを映像信号に対する増幅処理によって補正するための各画素点に対する個別の増幅度の値を表す。周辺光量に関する情報として上記周辺光量比データを取得した場合、各画素点ごとの映像信号の増幅度は各画素点での周辺光量比の逆数として求められる。例えば、図２（Ｃ）の条件下での周辺光量比に対して各画素点の映像信号の増幅度は、図４のグラフで示される。同図には、図２（Ｃ）と同じく各画素点での周辺光量比のグラフ（曲線Ａ）を示すと共に、そのグラフの右側の縦軸に映像信号の増幅度を示し、各画素点での映像信号の増幅度を曲線Ｂで示している。尚、周辺光量比が１（１００％）の場合に対応する増幅度を１としている。また、ここで求めた増幅度は、周辺光量比を補正するための増幅度を示すもので、他の目的で行われる映像信号の増幅処理での増幅度は含まれない。例えば、図１には示されていないが、ＣＣＤ３２とＡ／Ｄ変換器により接続されるプリアンプでの増幅処理や、カメラマイコン３６等において映像信号を所定の信号レベルに増幅する増幅処理などでの増幅度は含まれない。
【００２８】
続いて、カメラマイコン３６は、Ａ／Ｄ変換器３４を介してＣＣＤ３２からの取得した画像信号の各画素のデータを、対応する各画素点での増幅度により増幅処理する。これによって、周辺光量比の低下分が各画素点の映像信号の増幅処理により補正される。
【００２９】
尚、本実施の形態では、レンズ特性データとして上記周辺光量比データを記憶素子３０に記憶させておき、そのデータに基づいて撮影レンズの所望の設定状態における各画素点の映像信号の増幅度を求めるようにしたが、記憶素子３０には、上記周辺光量比データではなく、撮影レンズの各設定状態に対応して上記のようにして求められる各画素点の映像信号の増幅度のデータをレンズ特性データとして記憶しておくよくようにしてもよい。この場合には、カメラマイコン３６は、レンズマイコン２０から撮影レンズの設定状態に対応する増幅度のデータを取得すれば、周辺光量比データから増幅度を求めることは不要となる。
【００３０】
次に周辺光量補正機能に関するレンズマイコン２０及びカメラマイコン３６での処理手順について説明する。図５は、レンズマイコン２０でのレンズ制御に関する処理手順を示したフローチャートである。レンズマイコン２０は、ズームデマンド１８から与えられるコントロール信号に基づいて駆動部２４を介してズームレンズ群ＺＬを制御するズーム処理や、フォーカスデマンド１６から与えられるコントロール信号に基づいて駆動部２２を介してフォーカスレンズ群ＦＬを制御するフォーカス処理を行う（ステップＳ１０、Ｓ１２）。
【００３１】
また、リモートアイリスの場合において、ＣＣＵ１４でのリモートアイリスの操作により指定された絞りのＦナンバーの値がアイリスコントロール信号としてカメラマイコン３６からレンズマイコン２０に与えられており、レンズマイコン２０はその絞りのＦナンバーに対応する絞り開閉度となるように駆動部２６を介して絞りＩを制御するアイリス処理を行う（ステップＳ１４）。
【００３２】
続いて、レンズマイコン２０は、焦点距離、フォーカス位置、絞り開閉度を各駆動部２２〜２６の位置センサから読み取り、それらの位置に対応する周辺光量比データを記憶素子３０にレンズ特性データとして格納されている周辺光量比データに基づいて求める（ステップＳ１６）。そして、フローチャートには示されていないその他の処理を行った後（ステップＳ１８）、ステップＳ１０の処理に戻り、ステップＳ１０からの処理を繰り返す。尚、レンズマイコン２０は、カメラマイコン３６から周辺光量に関する情報の送信要求があると、ステップＳ１６で求めた周辺光量比データをカメラマイコン３６に送信する。
【００３３】
図６は、カメラマイコン３６での周辺光量補正に関する処理手順を示したフローチャートである。カメラマイコン３６は、まず、周辺光量に関する情報の送信要求をレンズマイコン２０に送信する（ステップＳ２０）。そして、レンズマイコン２０から周辺光量に関する情報（周辺光量比データ）を受信したか否かを判定する（ステップＳ２２）。ＮＯと判定した場合にはステップＳ２２の判定を繰り返す。ステップＳ２２においてＹＥＳと判定した場合には、カメラマイコン３６から取得した周辺光量比データに基づいて各画素点の映像信号の増幅度を求める（ステップＳ２４）。そして、ＣＣＤ３２から取得した各画素の画像データに対する個別の増幅処理における増幅度を、ステップＳ２４で求めた各画素点の映像信号の増幅度に設定する（ステップＳ２６）。本処理が終了すると、増幅処理などの他の処理を実行した後、ステップＳ２０からの処理を繰り返し実行する。
【００３４】
以上、上記実施の形態では、増幅度を求めるための上記レンズ特性データをレンズ装置１２の記憶素子３０に格納し、レンズ装置１２からカメラ本体１０にそのデータを送信するようにしたが、上記レンズ特性データは、カメラ本体１０の記憶手段に記憶させておくようにしてもよい。この場合、カメラ本体１０の記憶手段にはカメラ本体１０に装着可能なレンズ装置１２の複数の種類に対応したレンズ特性データを格納しておき、カメラ本体１０に実際に装着されたレンズ装置の種類を自動又は所定の設定手段（ユーザ操作の選択スイッチ等）により認識することによってその種類に対応するレンズ特性データを使用できるようにすることが考えられる。また、この場合の処理として、レンズマイコン２０からカメラマイコン３６に、撮影レンズの現在の設定状態（焦点距離、絞り開閉度、フォーカス位置等）の情報をカメラマイコン３６に送信することによって、カメラマイコン３６は、その設定状態における各画素点の映像信号の増幅度を記憶手段に格納されているレンズ特性データに基づいて求めることができる。
【００３５】
また、上記実施の形態では、各画素点の映像信号の増幅度は、周辺光量比データをレンズマイコン２０から取得したカメラマイコン３６で求めるようにしたが、その増幅度のデータをカメラマイコン３６ではなく、レンズマイコン２０で求めて、レンズマイコン２０からカメラマイコン３６に送信するようにしてもよい。
【００３６】
また、上記実施の形態では、フォーカスレンズ群ＦＬ、ズームレンズ群ＺＬ、絞りＩをモータ駆動する場合の撮像システムについて説明したが、本発明は、それらを手動で駆動する場合であっても適用できる。
【００３７】
また、上記実施の形態では、本発明を放送用テレビカメラの撮像システムで適用した場合について説明したが、本発明はこれに限らず、ビデオカメラや静止画を撮影するデジタルスチルカメラにも適用することができる。また、上記実施の形態のようにレンズ交換可能なタイプのカメラではなくても、撮影レンズ（レンズ装置）とカメラ本体とが一体型のカメラであっても本発明を適用できる。
【図面の簡単な説明】
【００３８】
【図１】図１は、本発明が適用される撮像システムの全体構成を示したブロック図である。
【図２】図２（Ａ）、（Ｂ）、（Ｃ）は、画面中心からの距離に対する周辺光量比を条件を変えて示した図である。
【図３】図３（Ａ）、（Ｂ）、（Ｃ）は、画面中心からの距離に対する周辺光量比を条件を変えて示した図である。
【図４】図４は、図２（Ｃ）の条件下における各画素点の映像信号の増幅度を示した図である。
【図５】図５は、レンズマイコンでの周辺光量補正に関連する処理手順を示したフローチャートである。
【図６】図６は、カメラマイコンでの周辺光量補正に関連する処理手順を示したフローチャートである。
【符号の説明】
【００３９】
１０…カメラ本体、１２…レンズ装置、１４…カメラコントロールユニット（ＣＣＵ）、１６…フォーカスデマンド、１８…ズームデマンド、ＦＬ…フォーカスレンズ群、ＺＬ…ズームレンズ群、Ｉ…絞り、ＭＬ…マスターレンズ群、２０…レンズマイコン、２２〜２６…駆動部、３０…記憶素子、３２…ＣＣＤ、３４…Ａ／Ｄ変換器、３６…カメラマイコン
【図１】
2005217504.tif 000003
【図２】
2005217504.tif 000004
【図３】
2005217504.tif 000005
【図４】
2005217504.tif 000006
【図５】
2005217504.tif 000007
【図６】
2005217504.tif 000008